(57)【要約】　　　（修正有）【課題】　洗浄効率を向上し、蒸気の温度を上げながら圧力も徐々に高くできると共に、二回以上の加熱加圧を順次実施できて、ハウジングが防爆効果を有し、高温高圧の蒸気のみを噴出できる二次加熱機能を持つ蒸気発生器を提供する。【解決手段】　丈夫なハウジング１１の収容室１１１に、加熱体１２の加熱部１２１を収容した後、第一、二、三収容室及び一蒸気室を形成し、これにより、加熱部１２１内の加熱管１２９によって入った水を二回以上に亘って順次加熱することができて、また、各収容室の間に設けた狭い欠け口及び曲がり流路の制限により、加熱されたお湯が次の収容室に入っている際に圧縮および膨張の効果があるため、温度を上げながら圧力を徐々に高めることができる。【選択図】図１
0003100056.tif 000002
【実用新案登録請求の範囲】
【請求項１】
一つのハウジングと、一つの加熱体と、を含む二次加熱機能を持つ蒸気発生器であって、
前記ハウジングは、その収容室には溝と一つの弧状窪みを設けており、底部には突起座を設けており、前記突起座には外チューブに連通した噴出孔を有し、その上端には複数の取付孔を有するフランジを設けており、
前記加熱体は、フランジと加熱部とを有し、
前記加熱部には二つの仕切板および弧状突起部を設けており、
前記仕切板のなかの一は前記加熱部の底部と同平面に揃っており、
もう一つの仕切板は一つの欠け口を有し、且つ前記加熱部内には底部と連通した一つの蒸気室を有し、
前記蒸気室は横向き貫通孔によって加熱部外部と連通し、且つフランジにはシールリングを収容するための環状溝を設けており、
前記フランジにも水導入管と取付孔と二つの導電コネクターとを設けており、
前記導電コネクターは加熱部に位置する加熱管と連接しており、
加熱体の加熱部をハウジング内の収容室に入れ、且つ二つの仕切板を別々に溝に挿入して、第一、二、三収容室を形成し、
第二、三収容室の間の弧状突起部と弧状窪みは狭くて曲がった一つの曲がり流路を形成し、
前記仕切板のなかの一は前記加熱部の底部と同平面に揃っていて、収容室の底部に当接することができ、
もう一つの仕切板と加熱部の底部には一つの欠け口を有し、且つ前記加熱部内には底部と連通した一つの蒸気室を有し、
前記蒸気室の上端は横向き貫通孔によって第三収容室と連通し、
仕切板の上端とフランジの間には一つの弧状突起を設けており、且つ前記弧状突起とフランジの内面とにはシールリングを収容するための環状溝を形成していて、前記シールリングをフランジ面に当接して漏れを止め、
加熱体のフランジにも水導入管と加熱管の導電コネクターとが設けており、且つ螺着素子を取付孔に挿通して締付けることで、それらを結合することができ、
水が水導入管から貫通孔を経由して第一収容室に入るときには、まず、加熱部の外径での熱によって加熱し、次に、仕切板の下の欠け口から第二収容室内に入って再加熱をし、その後、曲がり流路と直線の加熱管を合せた構成によって再加熱してから第三収容室内に流入し、また、横向き貫通孔から蒸気室内に流入して再加熱して蒸気に形成し、最後に、蒸気は外チューブに接続した管路などによって必要な場所に供給することを特徴とする、
二次加熱機能を持つ蒸気発生器。
【請求項２】
加熱部内に加熱管を螺旋状に平均に分布させ、そして一直線な加熱管を弧状突起部内に設け、前記直線な加熱管はフランジを貫通して導電コネクターのなかの一と連接することを特徴とする、請求項１に記載の二次加熱機能を持つ蒸気発生器。
【考案の詳細な説明】
【技術分野】
【０００１】
この考案は二次加熱機能を持つ蒸気発生器に係り、特に洗浄用の蒸気洗浄機に適用され、且つ防爆機能を有する二次加熱機能を持つ蒸気発生器に関する。
【背景技術】
【０００２】
蒸気洗浄機は、近年に開発された新しい洗浄用具である。これは、蒸気洗浄機内に設置された水箱内の水をポンプによって蒸気発生器まで吸い上げて高温に加熱させてから、制御スイッチの制御によって高温な蒸気を噴出し対象物を洗浄する。だから、蒸気洗浄機は、湿度向上と高温殺菌と汚れの除去などの積極的な目的を有する。
【０００３】
図６と図７を参照して説明する。蒸気発生装置２は、一つの水箱２４と、連接管２４４を介して前記水箱２４と連接する一つのポンプ２３と、一つの連接管２３３と、蒸気発生器２と、から構成される。前記蒸気発生器は、発熱管２１２を内蔵したハウジング２１１である。前記ハウジング２１１に内蔵した発熱管２１２は、ハウジング２１１の外部に設けた導電柱２１８を通じて電流を導入し、電気エネルギーを熱エネルギーに転換することにより、水箱２４からポンプ２３と水導入口２１３とを経由してハウジング２１１内に入った水を快速に加熱して気化させる。電気エネルギーによる気化をもっと高効率に実施し、且つ膨張した蒸気のハウジング２１１における滞在時間をできる限り延長し、蒸気圧をもっと上げるために、前記ハウジング２１１の内部は、蒸気発生器と、蒸気過渡チェンバー２２５と、蒸気噴出チェンバー２２２と、に分けられた。前記蒸気発生チェンバーは、メイン気化室２２４と、サブ気化室と、に分けられた。前記サブ気化室は四つあり、それらは、第一気化室２１４と、第二気化室２１５と、第三気化室２１６と、第四気化室２１７と、であり、それらのサブ気化室の容積は同様であり、上記気化室らの間にはスペーサー２２１が設けられており、前記スペーサー２２１には全て蒸気通路２２３が設けられている。第四気化室２１７と蒸気過渡チェンバー２２５の間には一つの蒸気出口２１９が設けられている。なお、蒸気過渡チェンバー２２５と蒸気噴出チェンバー２２２の間には一つの蒸気出口２２０が設けられている。前記蒸気噴出チェンバー２２２の壁には等距離に並列した複数の噴出孔２２が設けられており、これにより、蒸気を均一に噴出することができる。前記蒸気発生チェンバー内のメイン気化室２２４は全体の気化室の２分の１の空間を占めている。
【０００４】
ハウジング２１１内に設けた加熱管２１２により、水導入口２１３を経由してメイン気化室２２４に入った水は快速に蒸気へ転換され、蒸気は気化室の間に設けたスペーサー２２１における通路２２３を通過して、メイン気化室２２４から第四気化室２１７まで進み、また、蒸気出口２１９を通過して蒸気過渡チェンバー２２５に入り、そうすると、蒸気のハウジング２１１における滞在時間が延長される。なお、蒸気が引き続く発生するので、ハウジング２１１内の蒸気圧がより高くなり、また、蒸気過渡チェンバー２２５の蒸気出口２２０から蒸気噴出チェンバー２２２に入った後、噴出口２２から蒸気発生器２１の外部へ噴出される。
【０００５】
上記した蒸気発生器は、水箱４内の水を快速に蒸気に転換し、より高い圧力で蒸気を噴出し、高温及び高湿の状態で洗浄を実施するため、洗浄の清潔度を向上でき、且つ地球環境に優しい。
【考案の開示】
【考案が解決しようとする課題】
【０００６】
しかしながら、上記した蒸気発生器には次のような欠点があった。
（１）加熱は一回だけなので、加熱効果が良くない。
【０００７】
（２）油断すると、高温で爆発する危険性がある。
【課題を解決するための手段】
【０００８】
上記欠点を解決するためになされた本願の請求項１に係る考案は、一つのハウジングと、一つの加熱体と、を含む二次加熱機能を持つ蒸気発生器であって、前記ハウジングは、その収容室には溝と一つの弧状窪みが設けており、底部には突起座が設けており、前記突起座には外チューブに連通した噴出孔を有し、その上端には複数の取付孔を設けたフランジが設けており、前記加熱体は、フランジと加熱部とを有し、前記加熱部には二つの仕切板および弧状突起部が設けており、前記仕切板のなかの一は前記加熱部の底部と同平面に揃っており、もう一つの仕切板は一つの欠け口（開口）を有し、且つ前記加熱部内には底部と連通した一つの蒸気室を有し、前記蒸気室は横向き貫通孔によって加熱部外部と連通し、且つフランジにはシールリングを収容するための環状溝が設けており、前記フランジにも水導入管と取付孔と二導電コネクターとが設けており、前記導電コネクターは加熱部に位置する加熱管と連接しており、また、加熱体の加熱部をハウジングの収容室に入れ、且つ二つの仕切板を別々に溝に挿入し定位した後、第一、二、三収容室が形成され、第二、三収容室の間の弧状突起部と弧状窪みはちょうど狭くて曲がった一つの曲がり流路を形成し、前記仕切板のなかの一は前記加熱部の底部と同平面に揃っているため、収容室の底部に当接することができ、もう一つの仕切板と加熱部の底部には一つの欠け口を有し、且つ前記加熱部内には底部と連通した一つの蒸気室を有し、前記蒸気室の上端は横向き貫通孔によって第三収容室と連通し、仕切板の上端とフランジの間には一つの弧状突起が設けており、且つ前記弧状突起とフランジの内面とにはシールリングを収容するための環状溝が形成しており、前記シールリングをフランジ面に当接する際に漏れ止め効果を有し、加熱体のフランジにも水導入管と加熱管の導電コネクターとが設けており、且つ螺着素子を取付孔に挿通して締付けると、それらを結合することができ、水が水導入管から貫通孔を経由して第一収容室に入るときには、まず、加熱部の外径での熱によって加熱し、次に、仕切板の下の欠け口から第二収容室内に入って再加熱をし、その後、曲がり流路と直線な加熱管の合せた構成によって再加熱してから第三収容室内に流入し、また、横向き貫通孔から蒸気室内に流入して再加熱して蒸気に形成し、最後に、蒸気は外チューブに接続した管路などによって必要な場所に供給することを特徴とする二次加熱機能を持つ蒸気発生器であることを要旨としている。
【０００９】
本願の請求項２に係る考案は、加熱部内に加熱管を螺旋状に平均に分布させ、そして一直線な加熱管を弧状突起部内に設け、前記直線な加熱管はフランジを貫通して導電コネクターのなかの一と連接することを特徴とする請求項１に記載の二次加熱機能を持つ蒸気発生器であることを要旨としている。
【考案の効果】
【００１０】
本考案は次のような効果がある。
（１）水が水導入管１２８から蒸気発生器に入った後、第一、二、三収容室１３，１４，１５のなかで加熱管１２９の熱によって加熱した後、横向き貫通孔１２５１から蒸気室１２５に入って二次加熱をし、高温高圧の蒸気になるので、この蒸気によって洗浄効率を向上することができる。
【００１１】
（２）第一、二、三収容室１３，１４，１５の空間はより大きく、その間には別々に狭い通路（即ち、欠け口１２３１及び曲がり流路１６）の制限により、圧縮および膨張の効果を形成するため、温度を上げながら圧力も徐々に向上できる。
【００１２】
（３）高温高圧に加熱された水は再び横向き貫通孔１２５１から蒸気室１２５に入って二次加熱をし、高温高圧な蒸気に形成した後、噴出孔から噴出するため、二回以上の加熱加圧を実施することができる。
【００１３】
（４）ハウジング１１は丈夫であるため、加熱加圧された蒸気をハウジング１１内に保持でき、すなわち、防爆効果を有し、安全性を向上することができる。
【００１４】
（５）この考案に係る蒸気発生器１は、第一、二、三収容室１３，１４，１５の間の欠け口１２３１及び狭い曲がり流路１６の制限により、蒸気に転換していない水は噴出されず、高温高圧の蒸気のみを噴出することができる。
【考案を実施するための最良の形態】
【００１５】
まず、図１と図２を参照しながら説明する。この考案に係る蒸気発生器１は、一つのハウジング１１と、一つの加熱体１２と、から構成される。
【００１６】
また、図１から図５を参照すると、前記ハウジング１１は、その内部の収容室１１１には溝１１２，１１３と一つの弧状窪み１１４とを設けており、底部には突起座１１５を設けており、前記突起座１１５には外チューブ１１７に連通した噴出孔１１６を有し、その上端には複数の取付孔１１９を設けたフランジ１１８を設けている。
【００１７】
前記加熱体１２は、加熱部１２１を設けており、前記加熱部１２１にはハウジング１１の収容室１１１内に入れるための二つの仕切板１２２，１２３および弧状突起部１２４を設けており、且つ前記二つの仕切板１２２，１２３は別々に溝１１２，１１３に挿入し定位することができ、そうすると、図５に示すような第一収容室１３と、第二収容室１４と、第三収容室１５と、が形成される。第二収容室１４と第三収容室１５の間の弧状突起部１２４及び弧状窪み１１４は狭くて曲がった一つの曲がり流路１６を形成し、前記仕切板１２２のなかの一は前記加熱部１２１の底部と同平面に揃っているため、収容室１１１の底部に当接することができる。もう一つの仕切板１２３と加熱部１２１の底部には一つの欠け口１２３１を有し（図２と図４に示すように）、且つ前記加熱部１２１内には底部と連通した一つの蒸気室１２５を有し、前記蒸気室１２５の上端は横向き貫通孔１２５１によって第三収容室１５と連通している。また、図２に示すように、仕切板１２２，１２３の上端とフランジ１２６の間には一つの弧状突起１２７を設けており、且つ前記弧状突起１２７とフランジ１２６の内面にはシールリング１２６２を収容するための環状溝１２６１を形成しており、前記シールリング１２６２をフランジ面に当接する際に漏れ止め効果がある。加熱体１２のフランジ１２６にも水導入管１２８と加熱管１２９の導電コネクター１２９１，１２９２とを設けており、且つ螺着素子を取付孔１２６３に挿通して締付けると、それらを結合することができる。且つ加熱部１２１内に加熱管１２９を螺旋状に平均に分布させ、そして一直線の加熱管１２９３を弧状突起部１２４内に設け、前記直線的な加熱管１２９３はフランジ１２６を貫通して導電コネクター１２９２と連接する。
【００１８】
また、図４と図５を参照すると、水が水導入管１２８から貫通孔１２８１を経由して第一収容室１３に入るときには、まず、加熱部１２１の外径での熱によって加熱し、次に、仕切板１２３の下の欠け口１２３１から第二収容室１４内に入って再加熱をし、その後、曲がり流路１６と直線な加熱管１２９３の合せた構成によって再加熱してから第三収容室１５内に流入し、また、横向き貫通孔１２５１から蒸気室１２５内に流入して再加熱して蒸気にし、最後に、蒸気は外チューブ１１７に接続した管路などによって必要な場所に供給する。
【図面の簡単な説明】
【００１９】
【図１】この考案のハウジング側から見た分解斜視図である。
【図２】この考案の加熱体側から見た分解斜視図である。
【図３】この考案の組立てた状態を示す斜視図である。
【図４】この考案の組立てた状態を示す断面図である。
【図５】この考案の組立てた状態の端面の概略図である。
【図６】従来のものの概略図である。
【図７】従来のものの断面図である。
【符号の説明】
【００２０】
１　　　　　蒸気発生器
１１　　　　ハウジング
１１１　　　収容室
１１２　　　溝
１１３　　　溝
１１４　　　弧状窪み
１１５　　　突起座
１１６　　　噴出孔
１１７　　　外チューブ
１１８　　　フランジ
１１９　　　取付孔
１２　　　　加熱体
１２１　　　加熱部
１２２　　　仕切板
１２３　　　仕切板
１２３１　　欠け口
１２４　　　弧状突起部
１２５　　　蒸気室
１２５１　　横向き貫通孔
１２６　　　フランジ
１２６１　　環状溝
１２６２　　シールリング
１２６３　　取付孔
１２７　　　弧状突起
１２８　　　水導入管
１２８１　　貫通孔
１２９　　　加熱管
１２９１　　導電コネクター
１２９２　　導電コネクター
１２９３　　直線な加熱管
１３　　　　第一収容室
１４　　　　第二収容室
１５　　　　第三収容室
１６　　　　曲がり流路
２　　　　　蒸気発生装置
２０　　　　蒸気出口
２１　　　　蒸気発生器
２１１　　　ハウジング
２１２　　　発熱管
２１３　　　水導入口
２１４　　　第一気化室
２１５　　　第二気化室
２１６　　　第三気化室
２１７　　　第四気化室
２１８　　　導電柱
２１９　　　蒸気出口
２２　　　　噴出口
２２１　　　スペーサー
２２２　　　蒸気噴出チェンバー
２２３　　　通路
２２４　　　メイン気化室
２２５　　　蒸気過渡チェンバー
２３　　　　ポンプ
２３３　　　連接管
２４　　　　水箱
２４４　　　連接管
【図１】
0003100056.tif 000003
【図２】
0003100056.tif 000004
【図３】
0003100056.tif 000005
【図４】
0003100056.tif 000006
【図５】
0003100056.tif 000007
【図６】
0003100056.tif 000008
【図７】
0003100056.tif 000009